(57)【要約】【課題】プロテクタの外面にケーブル等の保持部を設けた場合に、ケーブルの抜け防止を図る構造とする。【解決手段】ケーブル、チューブ等の保持部２１を突設したプロテクタ１０であって、樋形状の本体部１１の側壁の上端より薄肉ヒンジ２７を介して円弧状の受溝２３を設けた断面略Ｕ形状の保持片２２を突設し、保持片２２の両側壁のうち本体部１１側の一方壁を左右両側に延在させて被係止部２４とする一方、保持部２１を挟む両側位置の本体部１１の側壁１１ａの下端よりコ字枠部３２を突設すると共にその先端側に左右一対の係止爪３３を突設した固定部３１を設け、上記受溝２３にケーブルＣ等を通した状態でヒンジ２７を支点として保持片２２を下向きに回転させ、被係止部２４を固定部３１の係止爪３３で係止する構成としている。【選択図】　図１
2004129444.tif 000002
【特許請求の範囲】
【請求項１】
ワイヤハーネスを構成する電線群を内部に挿通させる樋形状で、その側壁外面の一部にケーブル、チューブあるいはオプション電線の保持部を突設したプロテクタであって、
上記樋形状のプロテクタ本体の側壁の上端より薄肉ヒンジを介して、上記ケーブル、チューブあるいはオプション電線を挿通させる円弧状の受溝を設けた断面略Ｕ形状の保持片を突設し、該保持片の両側壁のうち上記プロテクタ本体側の一方壁を左右両側に延在させて被係止部とする一方、
上記保持部を挟む両側位置の上記プロテクタ本体の側壁下端より上記保持片を囲む大きさのコ字枠部を突設すると共に該コ字枠部の先端側の連結枠部より左右一対の係止爪を突設している固定部を設け、
上記保持片の受溝にケーブル、チューブあるいはオプション電線を通した状態で上記薄肉ヒンジを支点として下向きに回転させ、該回転姿勢の上記保持片の上記被係止部を上記固定部の上記係止爪で係止する構成としていることを特徴とするプロテクタ。
【請求項２】
上記保持片の突出側の他方壁の下端を係止部として突設すると共に、該保持片の下方位置の上記プロテクタ本体の側壁に切欠を設け、
上記保持片を回転姿勢とした状態で上記係止部が上記切欠に挿入係止する構成としている請求項１に記載のプロテクタ。
【発明の詳細な説明】
【０００１】
【発明の属する技術分野】
本発明は、自動車に配索するワイヤハーネス用のプロテクタに関し、特に，電線群を内部に挿通させるプロテクタの外面にチューブ、ケーブル等の保持部を設けたものである。
【０００２】
【従来の技術】
自動車に配索するワイヤハーネスには、外部干渉材がある位置やワイヤハーネスを屈折させる等の経路規制が必要な位置には、実開平２−６０４１９号に示されているような、樹脂成形品からなるプロテクタの内部を挿通させている。
自動車にはワイヤハーネスの外に、ワイパーに洗浄水を供給するチュープや、アンテナに接続するケーブル等も配索されており、これらチュープやケーブルも車体パネルに沿って配線する必要がある。さらに、オプション電装品に接続する電線を後付けで配線する場合もある。
【０００３】
【特許文献１】
実開平２−６０４１９号
【０００４】
上記ケーブル、チューブ等は小径であるため、ワイヤハーネスを車体に係止するバンドクランプを取り付けても、バンドはある程度の外径に対して締め付け固定でき、小径のケーブル、チューブには締め付け固定することが困難となる。また、クランプが取り付けられても、車体にクランプ係止穴をあけておく必要があり、車体上の加工も必要となる。
よって、ワイヤハーネスに外装する上記プロテクタでケーブルやチューブの保持し、プロテクタを介して車体に固定することが有効である。
【０００５】
よって、図４に示すように、プロテクタ１の樋形状の本体部２の側壁３の外面に、ケーブル固定部４と可撓性を備えた保持片５とを上下対向して突設している。ケーブルＣは、図５（Ａ）に示すように、保持片５を押し開き、固定部４との間の挿入口６よりケーブルＣを固定部４と保持片５とで囲まれる収容空間Ｓに押し込み、押し込み後に保持片５が元に戻って挿入口６が閉じて、ケーブルＣが抜け出ないように係止している。
【０００６】
【発明が解決しようとする課題】
しかしながら、上記プロテクタ１では、走行中の振動など、何らかの外部干渉によりケーブルＣが引っ張られると、図５（Ｂ）に示すように、保持片５も容易に撓み変形して挿入口６が広がり、ケーブルＣがプロテクタ１から外れやすいという問題がある。
【０００７】
本発明は上記問題に鑑みてなされたもので、プロテクタの外面にケーブル、チューブや後配線するオプション用の電線等が抜き出さないように確実に保持できるようにすることを課題としている。
【０００８】
【課題を解決するための手段】
上記課題を解決するため、本発明は、ワイヤハーネスを構成する電線群を内部に挿通させる樋形状で、その側壁外面の一部にケーブル、チューブあるいはオプション電線の保持部を突設したプロテクタであって、
上記樋形状のプロテクタ本体の側壁の上端より薄肉ヒンジを介して、上記ケーブル、チューブあるいはオプション電線を挿通させる円弧状の受溝を設けた断面略Ｕ形状の保持片を突設し、該保持片の両側壁のうち上記プロテクタ本体側の一方壁を左右両側に延在させて被係止部とする一方、
上記保持部を挟む両側位置の上記プロテクタ本体の側壁下端より上記保持片を囲む大きさのコ字枠部を突設すると共に該コ字枠部の先端側の連結枠部より左右一対の係止爪を突設している固定部を設け、
上記保持片の受溝にケーブル、チューブあるいはオプション電線を通した状態で上記薄肉ヒンジを支点として下向きに回転させ、該回転姿勢の上記保持片の上記被係止部を上記固定部の上記係止爪で係止する構成としていることを特徴とするプロテクタを提供している。
【０００９】
上記構成のプロテクタにおいては、回転前の保持片の受溝は上方に開口しており、ケーブル、チューブあるいはオプション電線（以下、ケーブル等と称す）を受溝に挿通させた後に、保持片を下方へ９０度回転させることにより、保持片の開口部を固定部の係止爪によって閉鎖することにより、ケーブル等を保持できる。さらに、保持片の被係止部を上記固定部の係止爪に係止することにより、該保持片の開口部の閉鎖状態を確実なものとすることができる。
このように、固定部の係止爪が保持片の閉鎖解除を規制しているため、何らかの負荷によりケーブル等が引っ張られても、該保持片の閉鎖状態は容易に解かれることなく、ケーブル等等を確実にプロテクタから外れることを防止できる。
また、保持片の被係止部を左右に延在させ、固定部に設けた左右一対の係止爪で被係止部を係止することにより、保持片の閉鎖状態をより安定的で解除しにくいものとすることができる。
【００１０】
さらに、上記保持片へのオプション電線等の挿通作業は、上方に開口した略Ｕ形状の受溝に上方から、そのままケーブル等を挿入すればよく、ケーブル等に負荷がかからず、ケーブルに損傷を発生させない。
【００１１】
上記保持片の突出側の他方壁の下端を係止部として突設すると共に、該保持片の下方位置の上記プロテクタ本体の側壁に切欠を設け、上記保持片を回転姿勢とした状態で上記係止部が上記切欠に挿入係止する構成とすることが好ましい。
【００１２】
即ち、回転姿勢にある保持片は、内部に挿通したオプション電線等の重みや引っ張りによって干渉を受けやすく、このことは薄肉のヒンジ部に大きな負荷をかけるが、上記切欠に保持片の係止部を挿入係止することにより、該保持片の歪みを規制して安定した回転姿勢を維持するため、ヒンジ部への負担を軽減し破損を防止することができる。
【００１３】
【発明の実施の形態】
以下、発明の実施形態を図面を参照して説明する。
図１乃至図３は本発明の実施形態に係るプロテクタ１０を示し、プロテクタ１０は、ワイヤハーネスＷ／Ｈの電線群を内部に挿通させる樋形状の本体部１１と、ケーブルＣの保持部２１を一体的に成形している。
【００１４】
上記保持部２１は、本体部１１の側壁１１ａの上端より薄肉のヒンジ２７を介して突設した断面略Ｕ形状の保持片２２よりなる。該保持片２２は、オプション電線等を挿通させる円弧状の受溝２３と、該受溝２３を挟む両側壁のうち上記本体部１１側の一方壁を左右両側に延在させた被係止部２４と、突出側の他方壁２５の下端に突設した係止部２６からなる。
【００１５】
また、上記保持部２１を挟む両側位置の上記本体部１１の側壁１１ａの下端部には、保持部２１と同方向に固定部３１を突設している。該固定部３１は、上記保持片２２を囲む大きさのコ字枠部３２と、該コ字枠部３２の連結枠部３２ａより上方へ突設した左右一対の係止爪３３より構成される。この係止爪３３は、上記保持片２２をヒンジ２７を支点として９０度下方へ回転させたときの上記被係止部２４に対応する位置に、左右に所要寸法離隔して形成している。
【００１６】
上記本体部１１の側壁１１ａには、上記保持片２２の下方位置に矩形の切欠部１２を設けている。該切欠部１２は、保持片２２を下方へ９０度回転させた状態で上記係止部２６を挿入でき、かつ、該係止部２６を左右に位置ズレなく固定できる大きさとしている。
【００１７】
上記構成のプロテクタ１０にワイヤハーネスの電線群を挿通させるときは、まず、図３（Ａ）に示すように、保持片２２の係止を解除した状態で、電線群Ｗ１を本体部１１の内部に挿通すると共にケーブルＣを保持片２２の受溝２３に挿通する。次に、図３（Ｂ）に示すように、ヒンジ２７を支点として該保持片２２を下向きに９０度回転させ、保持片２２の係止部２６を本体部１１の側壁１１ａの切欠部１２に挿入係止すると共に、該保持片２２の被係止部２４を固定部３１の係止爪３３で係止して、保持片２２の回転姿勢を維持する。このように保持片２２を回転姿勢とした状態では、図２にも示すように、ケーブルＣを挿通した受溝２３の開口部２３ａ側は係止爪３３によって閉鎖されるため、ケーブルＣが受溝２３から外れ落ちることはない。また、この保持片２２の閉鎖状態は、被係止部２４を左右一対の係止爪３３で係止することによって安定的に保たれるため、受溝２３内のケーブルＣが引っ張られる等しても保持片２２の閉鎖状態は容易に解除されず、ケーブルＣのプロテクタ１０からの抜け外れを確実に防止することができる。
【００１８】
また、本体部１１の側壁１１ａに設けた切欠部１２に保持片２２の係止部２６を挿入係止することにより、回転状態の保持片２２がケーブルＣの引っ張りなどにより左右に位置ズレしたり歪むことを防止できるため、歪みの生じやすい薄肉のヒンジ２７への負荷を軽減し、該ヒンジ２７の破損や磨耗を防止することができる。
【００１９】
さらに、ケーブルＣを保持片２２に挿通する際は、受溝２３の開口部２３ａからケーブルＣをそのまま載置すれば足るため、ケーブルＣに損傷が発生するのを防ぐことができる。
【００２０】
上記実施形態ではケーブルＣをプロテクタの外面に保持しているが、ケーブルに変えて、チューブあるいは後配線するオプション用電線をプロテクタの外面に保持する場合にも好適に用いられる。
【００２１】
【発明の効果】
以上の説明より明らかなように、本発明によれば、ケーブル、チューブあるいは後配線するオプション用電線をプロテクタの外面に突設した保持部で保持する場合に、該保持部の保持片をヒンジを支点に回転する構造とすることにより、ケーブル等を挿通するときは回転前の保持片の受溝に開口部からケーブル等を載置すれば足り、該保持片を回転させて係止爪で係止することによって、受溝の開口部を閉鎖してケーブル等の抜け外れを規制している。従って、ケーブル等が引っ張られても、係止爪が保持片の被係止部に係止しているため、該保持片の回転姿勢、即ち、受溝の閉鎖状態は解除されず、ケーブル等がプロテクタから不用意に外れることを防止することができる。
【００２２】
また、プロテクタ本体部の側壁に設けた切欠に、回転姿勢にある保持片の係止部を挿入係止できる構造とすることにより、ケーブル等の引っ張りなどによって保持片が位置ズレすることを防ぎ、該保持片と連続する薄肉ヒンジにかかる歪み力を軽減して破損を防止することができる。
【図面の簡単な説明】
【図１】本発明の実施形態にかかるプロテクタを示す斜視図である。
【図２】図１に示すプロテクタ内部に電線群を挿通すると共に、該プロテクタの外面でケーブルを保持した状態を示す斜視図である。
【図３】（Ａ）（Ｂ）は、図１に示すプロテクタへの電線群およびケーブルの挿通作業手順を示す断面図である。
【図４】従来例を示す斜視図である。
【図５】（Ａ）（Ｂ）は、従来例の電線群挿通作業を示す断面図である。
【符号の説明】
１０　プロテクタ
１１　本体部
１２　切欠
２１　保持部
２２　保持片
２３　受溝
２４　被係止部
２６　係止部
３１　固定部
３３　係止爪
Ｃ　　ケーブル
【図１】
2004129444.tif 000003
【図２】
2004129444.tif 000004
【図３】
2004129444.tif 000005
【図４】
2004129444.tif 000006
【図５】
2004129444.tif 000007